(57)【特許請求の範囲】
【請求項１】
長尺の布帛に向かって染料インクを吐出するインクジェット記録ヘッドにより画像を記録する記録手段と、前記布帛を搬送する搬送手段を備えたインクジェット記録装置において、
前記記録手段に対して前記布帛の搬送方向下流側において前記布帛に付着した前記染料インクを乾燥する乾燥手段と、
前記乾燥手段の搬送方向下流側において前記乾燥手段で乾燥された布帛を冷却する冷却手段と、
前記布帛を回収する回収手段とを備えていることを特徴とするインクジェット記録装置。
【請求項２】
前記染料が反応染料であることを特徴とする請求項１に記載のインクジェット記録装置。
【請求項３】
前記冷却手段が送風機であり、前記送風機の風向が前記布帛の搬送方向に沿っていることを特徴とする請求項１または２に記載のインクジェット記録装置。
【請求項４】
前記送風機から送り出される気体が、除湿された空気であることを特徴とする請求項３に記載のインクジェット記録装置。
【請求項５】
前記送風機から送り出される気体が、冷却された空気であることを特徴とする請求項３または４に記載のインクジェット記録装置。
【請求項６】
前記回収手段は、巻き取り機であることを特徴とする請求項１から５のいずれか１項に記載のインクジェット記録装置。
【発明の詳細な説明】
【技術分野】
【０００１】
本発明は、長尺の布帛に画像を記録するインクジェット記録装置に関する。
【背景技術】
【０００２】
インクジェット記録に関する技術が提案されている。特許文献１には、プリント装置が開示されている。このプリント装置は、導入部、搬送部、プリント部、予備乾燥部、乾燥部及び振り落とし部等を備えている。導入部は、ロール状あるいは箱に収容された布帛を、しわ伸ばし等を行いながら搬送部の所定位置に導入する部分である。搬送部は、導入部に隣接配置され、導入された布帛を搬送ベルトによってプリント部側へと搬送する部分である。プリント部は、コンティニュアス型インクジェット方式によって布帛に絵柄や文字等を描画する部分である。プリント部は、布帛の幅以上に搬送方向に直交させて対向配置され、使用するインクの色数に対応した複数列のラインヘッドを有している。プリント部は、オンデマンド型のインクジェット方式であってもよい。予備乾燥部は、プリント処理が施された布帛からインク中の蒸発成分をヒータ等によって、少なくとも２０％以上乾燥させる部分である。乾燥部は、予備乾燥部で乾燥された布帛からインク中の蒸発成分を更に、例えば８５％以上乾燥させる部分である。
【先行技術文献】
【特許文献】
【０００３】
【特許文献１】特開平９−２４００２２号公報
【発明の概要】
【発明が解決しようとする課題】
【０００４】
布帛を対象として、画像の記録を行うインクジェット記録装置では、紙等を対象とした画像の記録の場合とは異なる点に留意する必要がある。その一つが、画像を記録した後の品質の低下である。特に、長尺の布帛を対象としたインクジェット記録装置では、布帛に画像を記録する記録手段に連続して、布帛（布帛上のインク）を乾燥させる乾燥手段が設けられ、その後巻き取りや振落しによって布帛同士が重ねあわされるように回収される。
【０００５】
布帛同士が重ねあわされるように回収されると、問題が生じることがある。即ち、布帛を乾燥させるための熱や、布帛が保持している水分の影響を受けて、染料が分解し易くなる。特に、反応染料の場合、この傾向が顕著である。インクジェットヘッドを含む記録手段を備えるインクジェット記録装置によれば、高速に好適な画像を記録することができる。しかし、高速であるがために乾燥時の熱や水分を蓄積したまま布帛が重ねあわされて回収されそれらが逃げなくなってしまう。従って、布帛の乾燥は、前述したようなインクジェット記録装置では、高速に画像を記録し、且つ、記録された画像の品質を維持する上で、解決すべき一つの課題となる。
【０００６】
本発明は、染料の分解を抑え正常な発色状態を維持できるとともに、高速で且つ高品質の画像を記録することができる、インクジェットヘッドを含む記録手段を備えるインクジェット記録装置を提供することを目的とする。
【課題を解決するための手段】
【０００７】
本発明の一側面のインクジェット記録装置は、長尺の布帛に向かって染料インクを吐出するインクジェット記録ヘッドにより画像を記録する記録手段と、前記布帛を搬送する搬送手段を備えたインクジェット記録装置において、前記記録手段に対して前記布帛の搬送方向下流側において前記布帛に付着した前記染料インクを乾燥する乾燥手段と、前記乾燥手段の搬送方向下流側において前記乾燥手段で乾燥された布帛を冷却する冷却手段と、前記布帛を回収する回収手段とを備えていることを特徴とする。このインクジェット記録装置では、好適に布帛を乾燥及び冷却することが可能で、乾燥の熱に伴う、染料の分解を抑制することができる。
効率よく布帛を乾燥し冷却することができる。布帛を好適に加熱することができる。染料の分解に伴う、色ブレや退色といった品質の悪化を抑制することができる。従って、布帛に、高速で且つ高品質の画像を記録することができる、インクジェットヘッドを含む記録部を備えるインクジェット記録装置とすることができる。
【０００８】
このインクジェット記録装置は、次のようにすることもできる。前記染料が反応染料である、ようにしてもよい。これによれば、反応染料特有の加水分解の影響を抑制することができる。また、冷却手段を送風機として、前記送風機の風向が布帛の搬送方向に沿っている、ようにしてもよい。これによれば、熱源などを有する乾燥部に対する冷却部の影響を抑制することができる。また、前記送風機から送り出される気体が、除湿された空気とする、ようにしてもよい。これによれば、布帛を冷却しながら乾燥させる状態とすることで、さらに染料の分解を抑制することができる。さらに、前記送風機から送り出される気体が、冷却された空気とする、ようにしてもよい。これによれば、より効率的に布帛を冷却することが可能であり、高速で且つ高品質の画像を記録することができる。
【０００９】
また、布帛を回収する手段は巻き取り機とする、ようにしてもよい。これによれば、長尺状の布帛に対して連続して画像を記録するようなインクジェット記録装置において、好適な画像が記録された長尺状の布帛を、回収することができる。
【発明の効果】
【００１０】
本発明によれば、回収部で取り込まれる長尺の布帛における染料の分解を抑制し、良好な発色状態を維持できるとともに、高速で且つ高品質の画像を記録することが可能な、インクジェット記録装置を得ることができる。
【図面の簡単な説明】
【００１１】
【図１】記録システムの一例を示す正面図である。
【図２】記録装置の一例を示す斜視図である。
【図３】本発明のインクジェット記録装置の一例を示す図である。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１３】
＜記録システム＞
記録システム１では、画像が記録された長尺の布帛３が生産される。布帛３は、例えば各種材質による繊維織編物が例示される。記録システム１は、供給装置１０と、回収装置１２と、複数の第六ローラ１４と、記録装置１６と、制御装置９０を備える。記録システム１では、３個の第六ローラ１４が、図１に示す所定の位置に設けられている。但し、第六ローラ１４の個数と配置は、例示である。記録システム１における第六ローラ１４の個数と配置は、諸条件を考慮して適宜設定される。以下、図１〜図３を参照して、供給装置１０、回収装置１２及び乾燥装置１００と冷却装置１１０、記録装置１６について説明する。
【００１４】
＜供給装置、回収装置及び第六ローラ＞
供給装置１０には、例えば、ロール状に巻かれた布帛３がセットされる。供給装置１０は、セットされた布帛３を繰り出す。供給装置１０から繰り出された布帛３は、記録装置１６の側に搬送され、記録装置１６に供給される。回収装置１２は、記録装置１６において画像が記録された布帛３を回収する。例えば、画像が記録された布帛３は、回収装置１２によって、ロール状に巻き取られる。即ち、記録システム１では、布帛３は、供給装置１０から繰り出され、記録装置１６を通過し、更に、回収装置１２の側に搬送され、回収装置１２に回収される。本発明では回収装置１２の手前側に図１に図示されない乾燥装置１００と冷却装置１１０が配置される。乾燥装置１００と冷却装置１１０については後述する。供給装置１０と回収装置１２としては、公知の記録システムが備える供給装置と回収装置を採用することができる。従って、供給装置１０と回収装置１２に関するこの他の説明は省略する。
【００１５】
複数の第六ローラ１４は、記録装置１６における、第三ローラ６０と搬送部２０と第五ローラ８０と共に、搬送経路を形成する。搬送経路は、供給装置１０と回収装置１２の間を布帛３が通過する経路である。即ち、記録システム１では、布帛３は、搬送経路を、供給装置１０から回収装置１２の側に向けて搬送される。実施形態では、布帛３が搬送される方向を「搬送方向」という。搬送方向に関し、供給装置１０の側を「第二側」といい、回収装置１２の側を「第一側」という。搬送方向の第一側は、搬送方向の下流側であり、搬送方向の第二側は、搬送方向の上流側である。
【００１６】
３個の第六ローラ１４は、搬送方向に対応する方向に回転自在にそれぞれ支持される。第六ローラ１４は、外周面で、布帛３の第一面４又は第二面５の何れかにそれぞれ接する。布帛３の第一面４は、画像が記録される布帛３の面である。布帛３の第二面５は、第一面４とは反対となる布帛３の面である。第六ローラ１４は、外周面が搬送中の布帛３に接することで、搬送方向に対応する方向に従動して回転する。図１及び図２で、第六ローラ１４の外周又は内部に示す円弧の矢印は、第六ローラ１４の回転方向を示す。
【００１７】
＜記録装置＞
記録装置１６は、インクジェット記録装置である。インクジェット記録装置では、記録剤としてインクが用いられる。従って、記録装置１６では、インクを用いて、布帛３に画像が記録される。記録装置１６は、搬送部２０と、第四ローラ３０と、記録部４０と、移動部５０と、第三ローラ６０と、第二モータ６１と、第五ローラ８０と、第四モータ８１と、制御装置９０を備える。図１では、記録部４０と移動部５０の図示は、簡略化され、一体的に示されている。図１では、制御装置９０の図示は、省略されている。以下、記録装置１６が備える前述の各構成について、説明する。
【００１８】
＜搬送部＞
搬送部２０は、ベルトコンベアである。搬送部２０は、供給装置１０から繰り出された布帛３を、搬送方向に搬送する。搬送部２０によって搬送される布帛３は、記録部４０を通過する。搬送部２０は、第一ローラ２１と、第一モータ２２と、第二ローラ２３と、無端ベルト２４を備える。第一ローラ２１は、搬送方向の第一側に設けられる。第一モータ２２は、第一ローラ２１に連結される。第一モータ２２は、第一ローラ２１を搬送方向に対応する方向に回転させる。第一モータ２２による第一ローラ２１の回転は、間欠的に行われる。図１及び図２で、第一ローラ２１の内部に示す弧状の矢印は、第一ローラ２１の回転方向を示す。第二ローラ２３は、搬送方向の第二側に設けられる。
【００１９】
無端ベルト２４は、環状のベルトである。無端ベルト２４は、第一ローラ２１と第二ローラ２３に、張力が作用した状態で架け渡される。無端ベルト２４では、内周面が、第一ローラ２１の外周面と第二ローラ２３の外周面に接する。無端ベルト２４が第一ローラ２１と第二ローラ２３に架け渡された状態において、無端ベルト２４の外周面は、第一ローラ２１と第二ローラ２３の間で、水平な状態となる。即ち、搬送部２０では、搬送方向は、水平な方向となる。
【００２０】
無端ベルト２４の外周面には、図２に示すように、粘着部２５が形成される。粘着部２５は、無端ベルト２４の外周面に、全周に亘って形成される。粘着部２５は、例えば、公知の粘着テープ又は粘着剤によって形成される。図１では、粘着部２５の図示は、省略されている。図２で、無端ベルト２４の外周面に付したドット模様は、粘着部２５に対応する。搬送部２０では、第一モータ２２による第一ローラ２１の間欠的な回転に伴い、無端ベルト２４が、搬送方向に対応する方向に間欠的に回転する。第二ローラ２３は、無端ベルト２４の間欠的な回転に従動して、搬送方向に対応する方向に間欠的に回転する。即ち、搬送部２０では、布帛３は、搬送方向に間欠的に搬送される。
【００２１】
＜第四ローラ＞
第四ローラ３０は、押圧部である。押圧部としての第四ローラ３０は、粘着部２５が形成された無端ベルト２４の外周面に対して、布帛３を押圧する。第四ローラ３０は、ニップローラと称されるローラである。第四ローラ３０は、記録部４０より搬送方向の第二側で、外周面が無端ベルト２４の外周面に対向する状態で設けられる。第四ローラ３０は、搬送方向に対応する方向に回転自在に支持される。第四ローラ３０の幅は、無端ベルト２４の幅Ｗに対応する。例えば、第四ローラ３０の幅は、無端ベルト２４の幅Ｗ以上とされる（図２参照）。
【００２２】
第四ローラ３０による押圧力としては、例えば、第四ローラ３０の自重が利用される。第四ローラ３０を鉛直方向の下側に付勢する付勢部を設けるようにしてもよい。付勢部を設けることで、押圧力を、第四ローラ３０の自重による場合より高めることができる。付勢部としては、エアシリンダが例示される。図１及び図２では、付勢部の図示は、省略されている。布帛３は、無端ベルト２４と第四ローラ３０の間を通過する。このとき、第四ローラ３０は、外周面が布帛３の第一面４に接し、搬送方向に対応する方向に従動して回転する。これに伴い、布帛３は、粘着部２５によって無端ベルト２４の外周面に固定される。布帛３は、無端ベルト２４の外周面に固定された状態で、搬送部２０によって搬送方向に搬送される。図１及び図２で、第四ローラ３０の外周に示す弧状の矢印は、第四ローラ３０の回転方向を示す。
【００２３】
＜記録部＞
記録部４０は、搬送部２０によって搬送方向に搬送される布帛３に、画像を記録する。図２で、記録部４０より搬送方向の第一側に図示された布帛３の部分に付した交差模様は、布帛３に記録された画像に対応する。記録部４０は、図２に示すように、インクジェットヘッド４１Ｋ，４１Ｍ，４１Ｙ，４１Ｃと、キャリッジ４２を備える。インクジェットヘッド４１Ｋは、ブラックインクを吐出するインクジェットヘッドである。インクジェットヘッド４１Ｍは、マゼンタインクを吐出するインクジェットヘッドである。インクジェットヘッド４１Ｙは、イエローインクを吐出するインクジェットヘッドである。インクジェットヘッド４１Ｃは、シアンインクを吐出するインクジェットヘッドである。
【００２４】
インクジェットヘッド４１Ｋ，４１Ｍ，４１Ｙ，４１Ｃには、対応する色のインクを吐出するノズルが複数形成される。インクジェットヘッド４１Ｋ，４１Ｍ，４１Ｙ，４１Ｃによれば、フルカラーの画像を、布帛３に記録することができる。各色のインクは、色毎のインクタンクに貯留され、各色用のインク流路を流れて、インクジェットヘッド４１Ｋ，４１Ｍ，４１Ｙ，４１Ｃにそれぞれ供給される。図１及び図２では、ノズルと各色用のインクタンク及びインク流路の図示は、省略されている。
【００２５】
キャリッジ４２には、インクジェットヘッド４１Ｋ，４１Ｍ，４１Ｙ，４１Ｃが所定の位置に位置決めされた状態でそれぞれ搭載される。インクジェットヘッド４１Ｋ，４１Ｍ，４１Ｙ，４１Ｃは、図２に示すように、主走査方向に隣り合った状態でキャリッジ４２に搭載される。主走査方向におけるインクジェットヘッド４１Ｋ，４１Ｍ，４１Ｙ，４１Ｃの配列順序は、図２とは異なる順序としてもよい。これらの配列順序は、諸条件を考慮して適宜決定される。主走査方向は、上述したように外周面が水平な状態となる無端ベルト２４の幅方向に一致し、搬送方向に直交する（図２参照）。
【００２６】
画像の記録には、各種の染料インクが用いられる。染料としては、例えば、反応染料、酸性染料、直接染料、分散染料等の染料が例示される。熱と水によって加水分解されやすい反応染料を使用する場合、本願のインクジェット記録装置は本発明の効果を顕著に得られる。インクには、必要に応じて分散剤、消泡剤、浸透剤、濃染剤、ｐＨ調整剤等を、添加してもよい。インクジェット記録装置１において、各色のインクは、対応した色のインクのためのインクタンク（不図示）に貯留され、各色のインク供給ラインにて、各色のインクジェットヘッド４１に、それぞれ供給される。
【００２７】
＜移動部＞
移動部５０は、記録部４０を主走査方向に往復移動させる。移動部５０は、図２に示すように、２個のプーリ５１，５２と、タイミングベルト５３と、第三モータ５４を備える。プーリ５１は、搬送部２０を基準として、主走査方向の第四側に設けられる。プーリ５１には、第三モータ５４が連結される。プーリ５２は、搬送部２０を基準として、主走査方向の第三側に設けられる。プーリ５２は、回転自在に支持される。タイミングベルト５３は、張力が作用した状態でプーリ５１，５２に架け渡される。第三モータ５４は、プーリ５１に連結される。第三モータ５４は、プーリ５１を回転させる。図２で、プーリ５１の内部に示す弧状の矢印は、プーリ５１の回転方向を示す。記録部４０は、支持部５５を介してタイミングベルト５３に取り付けられる。
【００２８】
＜第三ローラ及び第二モータ＞
第三ローラ６０は、搬送方向において供給装置１０と搬送部２０の間で、且つこの間を搬送される布帛３の第二面５の側に設けられる。第三ローラ６０の外周面は、供給装置１０から繰り出され、且つ搬送部２０に到達する前の布帛３の第二面５に接する。第三ローラ６０の外周面は、布帛３の第二面５との間で所定の摩擦力を発生する状態とされる。例えば、第三ローラ６０の外周面は、ゴム又はエラストマーといった弾性体によって形成される。第二モータ６１は、第三ローラ６０に連結される。第二モータ６１は、第三ローラ６０を、搬送方向に対応する方向に回転させる。第二モータ６１による第三ローラ６０の回転は、間欠的に行われる。図１で、第三ローラ６０の外周に示す弧状の矢印と、図２で、第三ローラ６０の内部に示す弧状の矢印は、第三ローラ６０の回転方向を示す。
【００２９】
＜第五ローラ及び第四モータ＞
第五ローラ８０は、記録部４０より搬送方向の第一側で、鉛直方向において搬送部２０の搬送面より高い位置に設けられる。搬送部２０の搬送面は、無端ベルト２４の外周面のうち、布帛３が搬送方向に搬送されることとなる記録部４０の側の水平面である。実施形態では、第五ローラ８０が設けられる搬送方向の位置は、搬送部２０より搬送方向の第一側とされている。第五ローラ８０の外周面は、第一面４に画像が記録された布帛３の第二面５に接する。第五ローラ８０の外周面は、布帛３の第二面５との間で所定の摩擦力を発生する状態とされる。第五ローラ８０の外周面は、第三ローラ６０と同様、ゴム又はエラストマーといった弾性体によって形成される。第四モータ８１は、第五ローラ８０に連結される。第四モータ８１は、第五ローラ８０を、搬送方向に対応する方向に回転させる。第四モータ８１による第五ローラ８０の回転は、第一モータ２２による第一ローラ２１の間欠的な回転に対応させて、間欠的に行われる。図１で、第五ローラ８０の外周に示す弧状の矢印と、図２で、第五ローラ８０の内部に示す弧状の矢印は、第五ローラ８０の回転方向を示す。
【００３０】
第五ローラ８０が、搬送方向に対応する方向に回転することで、搬送部２０によって搬送されて記録部４０を通過した布帛３は、第五ローラ８０の側に引っ張られる。これに伴い、粘着部２５によって無端ベルト２４の外周面に固定された布帛３は、無端ベルト２４の外周面（粘着部２５）から剥離される。布帛３は、上述した通り、第五ローラ８０を通過した後、乾燥装置１００に送られる。
【００３１】
＜乾燥装置及び冷却装置＞
乾燥装置１００と冷却装置１１０について図３をもとに説明する。図３の乾燥装置１００と冷却装置１１０は、図１の第５ローラ８０と回収装置１２手前の第６ローラ１４との間に配置される。また、図３の乾燥装置１００と冷却装置１１０は、図２の第５ローラ８０の後方に配置される。乾燥装置１００は、熱源となるヒータ及びブロア等を含み、画像が記録され、無端ベルト２４の粘着部２５から剥離された布帛３（布帛３上のインク）を乾燥させる。布帛３は、乾燥装置１００を通過して、回収装置１２の側に送られる。乾燥装置１００は、例えば、仮乾燥部と、本乾燥部といった、乾燥機構によって構成され、布帛３を二段階に分けて乾燥するようにしてもよい。布帛３は、上述した通り、乾燥装置１００を通過した後、冷却装置１１０に送られる。なお、乾燥時の布帛の表面温度は７０℃以下にすることが好ましく、５０℃以下にすることがさらに好ましい。７０℃以下の表面温度に制御することでより染料の分解による色ブレ・退色の発生を抑制し、高品質な画像を記録することができる。特に、反応染料によるプリントの場合、乾燥による染料の加水分解を促進させないように、乾燥時の布帛の表面温度を５０℃以下にすることが望ましい。
【００３２】
冷却装置１１０は、送風機等を含み、画像が記録され、乾燥装置１００で乾燥された布帛３を冷却させる。送風機の風速は０．５〜７ｍ／Sにすることが望ましい。風速が０．５ｍ／S 未満の場合には十分な冷却効果を得ることができないおそれがある。また、７ｍ／S を超える風速を布帛に当てて冷却する場合、布帛に記録された発色前の染料インクを飛散させることにより画質の低下が発生するおそれがある。送風機の風向は前記布帛の搬送方向の第二側から第一側に沿っていることが好ましい。また、送風機から送り出される気体が、除湿された空気であることが好ましい。さらに、送風機から送り出される気体が、冷却された空気であることが好ましい。冷却装置１１０は、補助乾燥装置を備えていてもよい。布帛３は、上述した通り、冷却装置１１０を通過した後、回収装置１２に送られる。
【００３３】
回収装置１２は、冷却装置１１０で冷却された布帛３を、回収する。回収装置１２は、振り落とし部や巻き取り機等を含む。不図示の振り落とし部は、駆動部にて、鉛直方向の上側の部分を支点として第一方向及びその反対方向に揺動し、冷却装置１１０の側から送られてくる布帛３を、回収用の台車に回収する。長尺状の布帛３は、左右交互に折り畳まれた状態で、台車に収容される。回収装置１２にて回収され、台車に収容された布帛３は、次の工程、例えば、発色工程に移動される。巻き取り機は、図１や図３で示されているとおりの布帛３を巻き取る装置である。送り出される布帛３のスピードに合わせて円柱状の軸部に巻き取る。巻き取り機には不図示のモーター等の動力が軸部に直接あるいは間接に取り付けられる。
【００３４】
＜制御装置＞
制御装置９０は、操作部９１と、制御部９３と、内部電源９４を備える。操作部９１では、所定の指令が、受け付けられる。例えば、操作部９１では、後述する記録方法の開始指令が、受け付けられる。操作部９１は、設定部９２を含む。
【００３５】
制御部９３は、演算処理を実行し、記録装置１６で実行される各種の処理を制御する。例えば、制御部９３は、インクジェットヘッド４１Ｋ，４１Ｍ，４１Ｙ，４１Ｃからのインクの吐出を制御する。制御部９３は、第一モータ２２と第二モータ６１と第三モータ５４と第四モータ８１の駆動を、それぞれ制御する。内部電源９４は、外部の電源に接続される。内部電源９４は、例えば、第一モータ２２と第二モータ６１と第三モータ５４と第四モータ８１に接続される。図２では、内部電源９４と、第一モータ２２と第二モータ６１と第三モータ５４と第四モータ８１のそれぞれを接続する電気ケーブルの図示は、省略されている。内部電源９４は、第一モータ２２と第二モータ６１と第三モータ５４と第四モータ８１に電流を供給する。
【００３６】
＜実施形態の効果＞
実施形態によれば、次のような効果を得ることができる。
【００３７】
（１）記録システム１の記録装置１６の後には、冷却装置１１０が、搬送方向において乾燥装置１００と回収装置１２の間に設けられる（図３参照）。
【００３８】
そのため、乾燥装置１００で熱エネルギーを溜め込んだ布帛３を、冷却装置１１０で冷却することができる。即ち、記録装置１６でインクを付与され、乾燥部１００の熱エネルギーによって乾燥された布帛３は、この冷却装置１１０によって、正常な状態で維持され、回収装置１２に取り込まれる。その結果、色ブレや色ムラのない良好な画像を得ることができる。
【００３９】
（２）冷却装置１１０が送風機である場合、その風向は搬送される布帛３の搬送方向に沿ってセットされる。そのため、乾燥装置１００を冷却することなく布帛３のみを冷却することができる。したがって、効率の良い乾燥と冷却を達成することができる。
【００４０】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００４１】
（１）搬送方向に関し、説明の便宜上、搬送方向の下流側を「第一側」として設定し、搬送方向の上流側を「第二側」として設定した（図１及び図２参照）。搬送方向における第一側と第二側の設定は、上記とは反対であってもよい。即ち、搬送方向の上流側を「第一側」として設定し、搬送方向の下流側を「第二側」として設定することもできる。この場合、第一モータ２２が連結された第一ローラ２１は、布帛３が搬送される方向の上流側である搬送方向の第一側に設けられる。第二ローラ２３は、布帛３が搬送される方向の下流側である搬送方向の第二側に設けられる。
【００４２】
（２）記録装置１６では、布帛３への画像の記録は、移動部５０によって記録部４０を主走査方向に往復移動させながら行われる（図２参照）。インクジェット記録装置としては、記録装置１６とは異なるタイプの記録装置が実用化されている。この異なるタイプの記録装置では、記録部は、ライン型と称されるインクジェットヘッドを備える。この場合、記録部では、各色用のインクジェットヘッドは、搬送方向に隣り合った状態でキャリッジに搭載される。ライン型のインクジェットヘッドでは、主走査方向に複数のノズルが配列される。搬送方向に対応する方向に乾燥装置１００と冷却装置１１０を配置させることによって布帛３の温度を正常な状態にする、実施形態の構成は、記録部がライン型のインクジェットヘッドを備える記録装置に採用することもできる。ライン型のインクジェットヘッドを備える記録部は、公知のインクジェット記録装置に採用された構成である。従って、ライン型のインクジェットヘッドとこれを備える記録部に関する説明は省略する。
【００４３】
（３）布帛３は、ロール状に巻き取られた状態で、供給装置１０にセットされ、回収装置１２にロール状に巻き取られて回収される（図１参照）。記録システムでは、記録媒体としての長尺の布帛３の供給と回収は、次のような状態で行われるようにしてもよい。即ち、例えば、布帛３は、所定の方向に交互に折り畳まれた状態とされ、所定の台車等に収容される。前述の所定の方向は、例えば、搬送方向及びこれと反対の方向である。供給装置は、モータ等によって回転する導入用のローラを含む。供給装置では、この導入用のローラを回転させて、供給装置にセットされた台車内から布帛３が繰り出される。繰り出された布帛３は、上記同様、第六ローラ１４等を介して搬送部２０に供給される。その際、布帛３は、上記同様、第二面５で第三ローラ６０の外周面に接する。
【００４４】
（４）布帛３の回収についても、供給時と同様、所定の方向に交互に折り畳まれた状態で、供給側の台車とは別の台車に収容して行われる。この場合、回収装置は、振り落とし部を含む。振り落とし部では、鉛直方向の下側の部分が、モータ等によって、鉛直方向の上側の部分を支点として、搬送方向とこれと反対の方向に揺動される。このような供給装置と回収装置は、上記の布帛３のような長尺の記録媒体を対象とする、公知の記録装置において既に採用された装置である。従って、このような供給装置と回収装置に関するこの他の説明は省略する。
【００４５】
（５）冷却装置１１０は、布帛３の第一面４の側に設けられる（図３参照）。この場合、冷却装置１１０の吹き出し口は、布帛３の第一面４に対向する。冷却装置１１０は、布帛３の第二面５の側に設けるようにしてもよい。この場合、冷却装置１１０の吹き出し口は、布帛３の第二面５に対向する。冷却装置１１０が、乾燥装置１００を通過し、且つ回収部１２に到達する前の布帛３の第二面５に対向した状態で、冷却することで、上記同様、布帛３を正常な温度に保つことができる。
【００４６】
（６）記録装置１６では、搬送部２０による布帛３の搬送は、記録部４０が主走査方向の第三側又は第四側の各移動端に到達し、所定期間停止しているタイミングに合わせて、間欠的に行われる。各色のインクは、上述した通り、記録部４０が主走査方向の第三側と第四側の間を移動している所定のタイミングで、インクジェットヘッド４１Ｋ，４１Ｍ，４１Ｙ，４１Ｃから、布帛３に向けて吐出される。搬送部２０による布帛３の搬送は、記録部４０の主走査方向への１回の往復移動に対応させて行われるようにしてもよい。各色のインクは、記録部４０が主走査方向の第三側から第四側に移動している所定のタイミング、又は記録部４０が主走査方向の第四側から第三側に移動している所定のタイミングで、インクジェットヘッド４１Ｋ，４１Ｍ，４１Ｙ，４１Ｃから、布帛３に向けて吐出される。
【００４７】
例えば、インクが、記録部４０が主走査方向の第三側から第四側に移動している所定のタイミングで、吐出されるとする。この場合、インクは、記録部４０が主走査方向の第四側から第三側に移動しているタイミングでは、吐出されない。搬送部２０による布帛３の搬送は、記録部４０が主走査方向の第四側の移動端に到達して停止した後、再度、主走査方向の第四側から第三側に移動し、主走査方向の第三側に到達して停止している間の、所定のタイミングで行われる。これとは異なり、インクが、記録部４０が主走査方向の第四側から第三側に移動している所定のタイミングで、吐出されるとする。この場合、インクは、記録部４０が主走査方向の第三側から第四側に移動しているタイミングでは、吐出されない。搬送部２０による布帛３の搬送は、記録部４０が主走査方向の第三側の移動端に到達して停止した後、再度、主走査方向の第三側から第四側に移動し、主走査方向の第四側に到達して停止している間の、所定のタイミングで行われる。
【００４８】
（７）搬送部２０を、第一ローラ２１と、第一モータ２２と、第二ローラ２３と、無端ベルト２４を備えるベルトコンベアとした。搬送部２０は、ベルトコンベアとは異なる形式の搬送部としてもよい。例えば、搬送部は、搬送ドラムとしてもよい。搬送部として搬送ドラムが採用される場合、布帛３は、搬送ドラムの外周面に載せ置かれる。搬送ドラムは、上述した第一モータ２２による第一ローラ２１の間欠的な回転と同様、駆動部によって周方向の一方側に間欠的に回転される。搬送ドラムの回転方向は、上述した第一ローラ２１と同一方向とされる。これに伴い、布帛３は、搬送方向に搬送される。搬送ドラムによって搬送される布帛３は、搬送中に記録部４０を通過する。記録部４０は、搬送ドラムの外周面に対向して設けられる。搬送ドラムの外周面には、粘着部２５が設けられる。例えば、搬送ドラムの外周面には、全周に亘って粘着部２５が形成される。布帛３は、粘着部２５に貼り付けられた状態で搬送される。搬送ドラムは、公知の搬送部である。搬送ドラムを備える記録装置も、公知の記録装置である。従って、搬送ドラムとこれを備える記録装置に関するこの他の説明は省略する。
【符号の説明】
【００４９】
１  記録システム、  ３  布帛、  ４  第一面、  ５  第二面
１０  供給装置、  １２  回収装置、  １４  第六ローラ、  １６  記録装置
２０  搬送部、  ２１  第一ローラ、  ２２  第一モータ、  ２３  第二ローラ
２４  無端ベルト、  ２５  粘着部、  ３０  第四ローラ、  ４０  記録部
４１Ｋ，４１Ｍ，４１Ｙ，４１Ｃ  インクジェットヘッド、  ４２  キャリッジ
５０  移動部、  ５１，５２  プーリ、  ５３  タイミングベルト
５４  第三モータ  ５５  支持部、  ６０  第三ローラ、  ６１  第二モータ
８０  第五ローラ、  ８１  第四モータ、  ９０  制御装置、  ９１  操作部
９２  設定部、  ９３  制御部、  ９４  内部電源、  Ｗ  幅
７０  第七ローラ、  ７１  第八ローラ
１００  乾燥装置、  １１０  冷却装置
【図１】
0006697925.tif 000002
【図２】
0006697925.tif 000003
【図３】
0006697925.tif 000004